(57)【要約】【課題】ＩＰ電話の位置情報を特定し、電気通信番号規則第９条第１項第１号に規定された電気通信番号の示す地理的識別表示と異なる電気通信番号が利用されないための技術的措置として利用する。【解決手段】ＶｏＩＰサービス提供事業者の管理サーバーが、ＩＰ電話の最初のセッション確立時にアクセスされたブロードバンドアクセスサーバーのアドレス情報（当初ＢＡＳアドレス情報）を取得し、２回目以降のセッション確立時にアクセスされたブロードバンドアクセスサーバーのアドレス情報（最新ＢＡＳアドレス情報）と比較し、当初ＢＡＳアドレス情報と最新ＢＡＳアドレス情報とが一致しない場合は、ＩＰ電話の位置が変更されたと判断し、接続を切断することにより、電気通信番号規則第９条第１項第１号に規定された電気通信番号の示す地理的識別表示と異なる電気通信番号が利用されないようにする。【選択図】図２
2010199793.tif 000002
【特許請求の範囲】
【請求項１】
ＳＩＰ（Session Initiation Protocol）による呼制御が可能な電話機がルータ、ブロードバンドアクセスサーバー及びＩＰ網を介して相手先電話機との間でセッションを確立する場合における前記電話機の位置情報を特定する方法であって、
ＶｏＩＰサービス提供者の管理サーバーから前記ルータに対し、確立されたセッションのログ取得を指示するログ取得指示ステップと、
最初のセッション確立時にアクセスされたブロードバンドアクセスサーバーのアドレスである当初ＢＡＳアドレス情報を少なくとも含むログ情報を前記ルータに記憶させるログ記憶ステップと、
前記管理サーバーが前記ルータから前記当初ＢＡＳアドレス情報を読み出し、前記管理サーバーに備えた記録手段に記録する当初ＢＡＳアドレス情報記録ステップと、
２回目以降のセッション確立時にアクセスされたブロードバンドアクセスサーバーのアドレスである最新ＢＡＳアドレス情報を前記管理サーバーが前記ルータから読み出して前記記録手段に記録された前記当初ＢＡＳアドレス情報と比較し、両ＢＡＳアドレス情報が一致するか否かを判断するＢＡＳアドレス比較ステップと
を少なくとも有するＩＰ電話の位置情報特定方法。
【請求項２】
前記最新ＢＡＳアドレス情報と前記当初ＢＡＳアドレス情報とが一致する場合は、確立中のセッションを継続する
請求項１に記載のＩＰ電話の位置情報特定方法。
【請求項３】
前記最新ＢＡＳアドレス情報と前記当初ＢＡＳアドレス情報とが一致しない場合は、確立中のセッションを切断する
請求項１または２に記載のＩＰ電話の位置情報特定方法。
【発明の詳細な説明】
【技術分野】
【０００１】
本発明は、０〜ＡＢＪ番号が割り当てられたＩＰ電話のエリア外における使用を規制するために、ＩＰ電話の位置情報を特定する方法に関するものである。
【背景技術】
【０００２】
ＩＰ電話には「０５０」で始まる電話番号が割り当てられるが、固定電話をＩＰ電話に切り替えても固定電話の電話番号を変更せずに使用したいという要望もあるため、ＩＰ電話においても「０３」等で始まる「０ＡＢ〜Ｊ番号」もそのまま使用することが可能となっている。
【０００３】
「０ＡＢ〜Ｊ番号」は、電気通信番号規則第９条第１項第１号に規定された要件に基づき地域ごとに固定された番号体系であり、発信側電話番号と発信場所とを対応させるために、地域外からの「０ＡＢ〜Ｊ番号」の使用を規制する必要がある。しかし、ＩＰ電話は、サーバーへ接続できるネットワーク環境があれば、どこからでも利用できるという問題がある。そこで、電気通信事業者には、同規則第９条第１項第１号に規定された電気通信番号の示す地理的識別表示と異なる電気通信番号が利用されないための技術的措置を講ずることが課せられている（同規則第１５条第２項別表第二）。この技術的措置として、例えば、ネットワークにユーザー識別情報付与装置及びダウンロードサーバを接続し、ＶｏＩＰ−ＴＡが電源オンされる毎にユーザー識別情報付与装置に接続し、電話端末がアクセス網に接続される接続位置固有の情報に基づきユーザー識別情報をＶｏＩＰ−ＴＡに付与し、ダウンロードサーバがユーザー識別情報に基づいて電話番号設定情報をＶｏＩＰ−ＴＡにダウンロードさせる技術が提案されている（例えば特許文献１参照）。
【先行技術文献】
【特許文献】
【０００４】
【特許文献１】特開２００８−５４０８６号公報
【発明の概要】
【発明が解決しようとする課題】
【０００５】
しかし、特許文献１に記載された手法においては、ユーザー識別情報付与装置及びダウンロードサーバといった機器が必要となるため、新たな機器を導入しなければならない。そこで本発明は、新たな機器を使用することなく、「０ＡＢ〜Ｊ番号」が割り当てられたＩＰ電話機が、この番号によって第９条第１項第１号に規定するエリア外で使用されないようにすることを目的とする。
【課題を解決するための手段】
【０００６】
本発明は、ＳＩＰ（Session Initiation Protocol）による呼制御が可能な電話機がルータ、ブロードバンドアクセスサーバー及びＩＰ網を介して相手先電話機との間でセッションを確立する場合における前記電話機の位置情報を特定する方法に関するもので、ＶｏＩＰサービス提供者の管理サーバーからルータに対して確立されたセッションのログ取得を指示するログ取得指示ステップと、最初のセッション確立時にアクセスされたブロードバンドアクセスサーバーのアドレスである当初ＢＡＳアドレス情報を少なくとも含むログ情報をルータに記憶させるログ記憶ステップと、管理サーバーがルータから当初ＢＡＳアドレス情報を読み出し、管理サーバーに備えた記録手段に記録する当初ＢＡＳアドレス情報記録ステップと、２回目以降のセッション確立時にアクセスされたブロードバンドアクセスサーバーのアドレスである最新ＢＡＳアドレス情報を管理サーバーがルータから読み出して記録手段に記録された当初ＢＡＳアドレス情報と比較し両ＢＡＳアドレス情報が一致するか否かを判断するＢＡＳアドレス比較ステップとを少なくとも有する。
【０００７】
上記方法において、最新ＢＡＳアドレス情報と当初ＢＡＳアドレス情報とが一致する場合は、電話機が適切な地域で使用されていると判断して確立中のセッションを継続する。一方、最新ＢＡＳアドレス情報と当初ＢＡＳアドレス情報とが一致しない場合は、地理的識別地域と異なる地域で使用されていると判断して確立中のセッションを切断する。
【発明の効果】
【０００８】
本発明では、ＶｏＩＰサービス提供事業者の管理サーバーが、ＩＰ電話の最初のセッション確立時にアクセスされたブロードバンドアクセスサーバーのアドレス情報（当初ＢＡＳアドレス情報）を取得しておき、２回目以降のセッション確立時にアクセスされたブロードバンドアクセスサーバーのアドレス情報（最新ＢＡＳアドレス情報）を取得し、当初ＢＡＳアドレス情報と最新ＢＡＳアドレス情報とを比較し、当初ＢＡＳアドレス情報と最新ＢＡＳアドレス情報とが一致しない場合は、ＩＰ電話の位置が変更されたと判断することができる。したがって、その場合は接続を切断することにより、電気通信番号規則第９条第１項第１号に規定された電気通信番号の示す地理的識別表示と異なる電気通信番号が利用されないことになり、同規則第１５条第２項別表第二で課せられた技術的措置となる。
【図面の簡単な説明】
【０００９】
【図１】本発明が適用される構成の一例を示す構成図。
【図２】本発明の手順の一例を示すフローチャート。
【発明を実施するための形態】
【００１０】
図１に示す電話機１は、ＳＩＰ(Session Initiation Protocol)による呼制御の機能を有するＶｏＩＰ（Voice Over IP）端末であり、ルータ２を介してＩＰ網３に接続することにより、ＶｏＩＰによる通話を行うことが可能となっている。また、ルータ２には記憶手段２０を備えており、記憶手段２０にはＰＰＰｏＥ（登録商標）セッションに関するログを記憶させることができる。なお、電話機１がＶｏＩＰに対応していない場合は、電話機１とルータ２との間にＳＩＰ対応のＶｏＩＰアダプタを介在させ、電話機１とＶｏＩＰアダプタとでＶｏＩＰ端末を構成する。
【００１１】
管理システム４は、ＶｏＩＰサービス提供者（以下「ＶｏＩＰ事業者」という。）がユーザーに関する情報を管理するためのシステムであり、ＩＰ網３にアクセス可能な管理サーバー４０と、ＶｏＩＰ事業者のユーザーに関する情報を記録する記録手段であるユーザーＤＢ４１とを備えている。ユーザーＤＢ４１には、各ユーザーごとにそのユーザーカウント及び関連する各種情報が記録される。
【００１２】
ＶｏＩＰ事業者は、０ＡＢ〜Ｊ番号の地域ごとにブロードバンドアクセスサーバー（ＢＡＳ：Broadband Access Server）５を設置しており、それぞれの地域のＢＡＳには固有のＢＡＳアドレスが付されている。
【００１３】
ＶｏＩＰ事業者に対してＩＰ電話サービスに加入の申込をすると、宅内に電話機１及びルータ２が設置される（ステップＳ１）。電話機１には、他の電話機との間で通話を行うにあたって必要となるユーザー名、パスワード等の情報を含むユーザーカウントが設定される。また、ルータ２を設置すると、ＩＳＰからルータ２に対してグローバル固定ＩＰアドレスが付与され（ステップＳ１，２）、ＩＰ網に接続するためのルータ２の設定が行われる。図１の例では、ＩＳＰはＶｏＩＰ事業者である。
【００１４】
こうしてルータ２の設定が行われると、ルータ２がＩＰ網３を通じて管理サーバー４０に接続される（ステップＳ３）。管理サーバー４０では、ルータ２に対してパスワード情報の送信を要求し、ルータ２からパスワード情報が送信される。そして、管理サーバー４０では、パスワードによる認証が行われる（ステップＳ４）。
【００１５】
パスワードによる認証によって管理サーバー４０がルータ２のアクセスを許可すると、管理サーバー４０は、ルータ２に対し、確立されたセッションのログ取得を指示する情報を送信する（ステップＳ５、ログ取得指示ステップ）。この情報を受信したルータ２においては、セッションが確立されるたびに内蔵する記憶手段２にそのログを記憶させるように設定を行う。ルータ２がこのように設定されると、ＶｏＩＰによる通話が可能な状態となる。
【００１６】
電話機１からＶｏＩＰによる通話をするために他の電話機の電話番号をダイヤルすると、ルータ２が、そのルータ２が設置された地域のＢＡＳ５にアクセスしセッションを確立してＩＳＰのＩＰ網３への接続を行い、ＩＰ網３及び相手先ルータ６を介して相手先電話機７と接続する。このとき、その最初のセッションに関するログがルータ２の記憶手段２０に記憶される。ここで記憶されるログには、少なくとも最初のセッション確立時にアクセスされたＢＡＳ５のアドレス情報である当初ＢＡＳアドレス情報が含まれる（ステップＳ６、ログ記憶ステップ）。
【００１７】
一方、管理サーバー４０は、電話機１が最初にセッションを確立すると、ユーザーＤＢ４１にそのユーザーカウントのログを格納するためのログ領域を確保すると共に、ルータ２にリモートアクセスし、ルータ２の記憶手段２０に記憶されたログの中から最初のセッション確立時にアクセスしたＢＡＳ５のアドレス情報を読み出し、これを当初ＢＡＳアドレス情報としてユーザーＤＢ４１に格納する（ステップＳ７、当初ＢＡＳアドレス情報記録ステップ）。
【００１８】
当該電話機１からの２回目以降のＶｏＩＰによる通話時には、管理サーバー４０がＩＰ網３を介してルータ２をリモートアクセスし、そのときのルータ２とＢＡＳ５とのセッション確立時にルータ２に記録されたＢＡＳ５のアドレス情報を最新ＢＡＳアドレス情報として管理サーバー４０が読み出す。この最新ＢＡＳアドレス情報は、電話機１及びルータ２の位置を特定するための情報となる。
【００１９】
次に、管理サーバー４０は、ユーザーＤＢ４１に記録されているそのユーザーの当初ＢＡＳアドレスと、ルータ２から読み出した最新ＢＡＳアドレス情報とを比較し、両ＢＡＳアドレスが一致するか否かを判断する（ステップＳ８、ＢＡＳアドレス比較ステップ）。そして、両ＢＡＳアドレス情報が一致していれば、電話機１の位置が変更されていないと判断して接続を継続させる（ステップＳ９）。一方、両ＢＡＳアドレスが一致しない場合は、接続位置に変更があり、規則第９条第１項第１号に規定された電気通信番号の示す地理的識別表示と異なる地域に電話機１及びルータ２が持ち出されて使用されたものとして、ＶｏＩＰによる接続を切断する（ステップＳ１０）。
【００２０】
このようにして、２回目以降のセッション確立時にルータ２にロギングされたＢＡＳアドレスが最初の接続時のＢＡＳアドレスと等しいかどうかを管理サーバー４０においてチェックすることにより、電話機１が適正な位置で使用されているかどうかをＶｏＩＰ事業者が把握することができる。したがって、ＶｏＩＰ事業者は、電気通信番号規則第９条第１項第１号に規定された電気通信番号の示す地理的識別表示と異なる電気通信番号が利用されないための技術的措置を講じなければならないとする同規則第１５条第２項別表第二の義務を果たすことができる。
【産業上の利用可能性】
【００２１】
本発明は、ＩＰ電話機の位置情報を特定し、電気通信番号規則第９条第１項第１号に規定された電気通信番号の示す地理的識別表示と異なる電気通信番号が利用されないための技術的措置として利用することができるため、ＩＰ電話の適正な利用に資する。
【符号の説明】
【００２２】
１：電話機
２：ルータ
２０：記憶手段
３：ＩＰ網
４：管理システム
４０：管理サーバー
４１：ユーザーＤＢ
５：ブロードバンドアクセスサーバー（ＢＡＳ）
６：ルータ
７：電話機
【図１】
2010199793.tif 000003
【図２】
2010199793.tif 000004